(57)【特許請求の範囲】
【請求項１】
キャップと容器とのいずれか一方に同一ピッチＰで連続的に係合歯を設けると共に、キャップの容器への回転装着時に前記係合歯に他方に設けた係止歯が弾性的に係合するようになしたキャップ係止装置において、３個一組の係止歯が、中央の係止歯に対してその両側に位置する係止歯が前記係合歯のゼロ倍を含む整数ｎ倍のピッチ間隔（ｎＰ）に３分の１のピッチ間隔（１／３Ｐ）を加えた間隔（ｎＰ＋１／３Ｐ）になるように設定してなるキャップ係止装置。
【請求項２】
請求項１に記載のキャップ係止装置において、３個一組の係止歯が、少なくとも互いに係合歯の１ピッチ間隔以上の整数ｎ倍のピッチ間隔に３分の１のピッチ間隔を加えた間隔（ｎＰ＋１／３Ｐ）になるように隔てて設けてなるキャップ係止装置。
【請求項３】
請求項１又は２に記載のキャップ係止装置において、係止歯の３個一組を少なくとも係合歯の４ピッチ間隔を隔てて設定してなるキャップ係止装置。
【請求項４】
請求項１、２又は３に記載のキャップ係止装置において、係合歯を４の倍数の歯数に設定してなるキャップ係止装置。
【請求項５】
キャップと容器とのいずれか一方に同一ピッチＰで円周状に係合歯を設けると共に、キャップの容器への回転装着時に前記係合歯に他方に設けた係止歯が弾性的に係合するようになしたキャップ係止装置において、３個一組の係止歯が、中央の係止歯に対してその両側に位置する係止歯が前記係合歯のゼロ倍を含む整数ｎ倍のピッチ間隔（ｎＰ）に３分の２のピッチ間隔（２／３Ｐ）を加えた間隔（ｎＰ＋２／３Ｐ）になるように設定してなるキャップ係止装置。
【請求項６】
請求項５に記載のキャップ係止装置において、３個一組の係止歯を、少なくとも互いに係合歯の１ピッチ間隔以上の整数ｎ倍のピッチ間隔に３分の２のピッチ間隔を加えた間隔（ｎＰ＋２／３Ｐ）になるように隔てて設けてなるキャップ係止装置。
【請求項７】
請求項５又は６に記載のキャップ係止装置において、係止歯の３個一組を少なくとも係合歯の５ピッチ間隔を隔てて設定してなるキャップ係止装置。
【請求項８】
請求項５、６又は７に記載のキャップ係止装置において、係合歯を５の倍数の歯数に設定してなるキャップ係止装置。
【請求項９】
請求項１乃至８のいずれかに記載のキャップ係止装置において、係止歯をほぼ等間隔に設定してなるキャップ係止装置。
【請求項１０】
請求項１乃至８のいずれかに記載のキャップ係止装置において、係止歯を全周に渡ってほぼ等間隔に設定してなるキャップ係止装置。
【請求項１１】
請求項１乃至９のいずれかに記載のキャップ係止装置において、係止歯を回転装着終端部で係合歯に相対する部分に限定して設けてなるキャップ係止装置。
【請求項１２】
請求項１乃至１１のいずれかに記載のキャップ係止装置において、係合歯を全周に渡って設けてなるキャップ係止装置。
【請求項１３】
請求項１乃至１２のいずれかに記載のキャップ係止装置において、係合歯を比較的に鋭角な歯山に、係止歯を比較的鈍角な歯山に成形してなるキャップ係止装置。
【請求項１４】
請求項１３に記載のキャップ係止装置において、係合歯をほぼ６０度乃至ほぼ１１０度の歯山に成形してなるキャップ係止装置。
【請求項１５】
請求項１３又は１４に記載のキャップ係止装置において、係合歯の歯形の角度を係止歯の歯形の角度の１０度乃至４０度小さくなるように成形してなるキャップ係止装置。
【請求項１６】
請求項１３、１４又は１５に記載のキャップ係止装置において、係合歯をほぼ９０度の歯山に、係止歯をほぼ１１０度の歯山に成形してなるキャップ係止装置。
【請求項１７】
請求項１乃至１６のいずれかに記載のキャップ係止装置において、係合歯を比較的に硬質なプラスチックで成形すると共に、係止歯を弾性変形容易な比較的軟質のプラスチックで成形してなるキャップ係止装置。
【請求項１８】
請求項１乃至１７のいずれかに記載のキャップ係止装置において、係合歯をキャップに設けると共に係止歯を容器に設けてなるキャップ係止装置。
【請求項１９】
請求項１８に記載のキャップ係止装置において、係合歯をキャップスカート内側部に設けると共に係止歯を容器肩部に設けてなるキャップ係止装置。
【請求項２０】
請求項１８又は１９に記載のキャップ係止装置において、係合歯をキャップに射出成形加工で一体に設けると共に係止歯を容器にブロー成形加工により一体に設けてなるキャップ係止装置。
【請求項２１】
請求項２０に記載のキャップ係止装置において、容器が肩部の上方に太首の多条ネジ部を有する回転装着部まで押出可能なブロー成形加工された押出チューブ容器からなるキャップ係止装置。
【請求項２２】
請求項２１に記載のキャップ係止装置において、押出チューブ容器が太首の多条ネジ部の上方に細首の開口部を具備すると共に、キャップが細首の開口部に嵌着する細首内キャップ部と多条ネジ部に螺合するネジスカート部とを具備するキャップ係止装置。
【請求項２３】
請求項２２に記載のキャップ係止装置において、押出チューブ容器が細首の開口部と太首の多条ネジ部との間にキャップ装着時にキャップ天板部が開口部に圧着するように弾力性を持たせた蛇腹状部を設けてなるキャップ係止装置。
【請求項２４】
請求項２３に記載のキャップ係止装置において、細首内キャップ部に蛇腹状部に弾性的に嵌着する弾性嵌着スカート部を設けてなるキャップ係止装置。
【請求項２５】
請求項２４に記載のキャップ係止装置において、弾性嵌着スカート部に切欠部を設けて蛇腹状部に弾性的に嵌着するように構成してなるキャップ係止装置。
【発明の詳細な説明】
【技術分野】
【０００１】
本発明は、キャップを容器に回転装着して係止するキャップ係止装置に関する。
【背景技術】
【０００２】
従来から、キャップを容器に回転装着して係止するキャップ係止装置は多々知られており、特に、キャップを小さい回転角度間隔で係止するためには、キャップ又は容器のいずれか一方に微少角度間隔の多数の係合歯を円周状に設け、これに他方に設けた微少な係止歯を係合するようにする必要があった。
【発明の開示】
【発明が解決しようとする課題】
【０００３】
微少角度間隔の多数の係合歯を円周状に設け、これに他方に設けた微少な係止歯を係合する構成は、精密な加工技術が要求され、例えば、プラスチックのブロー成形加工により容器の首部や肩部等に設けることは多大な技術的、労力的且つ費用的な困難を伴う課題があり、更に、微少な係止歯や係合歯では充分な係止力を得られないため係止が外れて正確な位置に確実に係止できない課題があった。
【課題を解決するための手段】
【０００４】
そこで、本発明は、請求項１に記載のように、キャップの容器への回転装着時にキャップと容器とのいずれか一方に設けた係合歯に他方に設けた係止歯が弾性的に係合するようになしたキャップ係止装置において、３個一組の係止歯が、中央の係止歯に対してその両側に位置する係止歯が係合歯のゼロ倍を含む整数倍のピッチ間隔と３分の１のピッチ間隔になるように設定してなるキャップ係止装置を提供するものである。
【０００５】
また、本発明は、請求項２に記載のように、請求項１に記載のキャップ係止装置において、３個一組の係止歯が少なくとも互いに係合歯の１ピッチ間隔以上の整数倍のピッチ間隔と３分の１のピッチ間隔を隔てて設けてなるキャップ係止装置を提供するものである。
【０００６】
また、本発明は、請求項３に記載のように、請求項１又は２に記載のキャップ係止装置において、係止歯の３個一組を少なくとも係合歯の４ピッチ間隔を隔てて設定してなるキャップ係止装置を提供するものである。
【０００７】
また、本発明は、請求項４に記載のように、請求項１、２又は３に記載のキャップ係止装置において、係合歯を４の倍数の歯数に設定してなるキャップ係止装置を提供するものである。
【０００８】
また、本発明は、請求項５に記載のように、キャップの容器への回転装着時にキャップと容器とのいずれか一方に設けた円周状の係合歯に他方に設けた係止歯が弾性的に係合するようになしたキャップ係止装置において、３個一組の係止歯が、中央の係止歯に対してその両側に位置する係止歯が係合歯のゼロ倍を含む整数倍のピッチ間隔と３分の２のピッチ間隔になるように設定してなるキャップ係止装置を提供するものである。
【０００９】
また、本発明は、請求項６に記載のように、請求項５に記載のキャップ係止装置において、３個一組の係止歯が少なくとも互いに係合歯の１ピッチ間隔以上の整数倍のピッチ間隔と３分の２のピッチ間隔を隔てて設けてなるキャップ係止装置を提供するものである。
【００１０】
また、本発明は、請求項７に記載のように、請求項５又は６に記載のキャップ係止装置において、係止歯の３個一組を少なくとも係合歯の５ピッチ間隔を隔てて設定してなるキャップ係止装置を提供するものである。
【００１１】
また、本発明は、請求項８に記載のように、請求項１、２又は３に記載のキャップ係止装置において、係合歯を５の倍数の歯数に設定してなるキャップ係止装置を提供するものである。
【００１２】
また、本発明は、請求項９に記載のように、請求項１乃至８のいずれかに記載のキャップ係止装置において、係止歯をほぼ等間隔に設定してなるキャップ係止装置を提供するものである。
【００１３】
また、本発明は、請求項１０に記載のように、請求項１乃至８のいずれかに記載のキャップ係止装置において、係止歯を全周に渡ってほぼ等間隔に設定してなるキャップ係止装置を提供するものである。
【００１４】
また、本発明は、請求項１１に記載のように、請求項１乃至９のいずれかに記載のキャップ係止装置において、係止歯を回転装着終端部で係合歯に相対する部分に限定して設けてなるキャップ係止装置を提供するものである。
【００１５】
また、本発明は、請求項１２に記載のように、請求項１乃至１１のいずれかに記載のキャップ係止装置において、係合歯を全周に渡って設けてなるキャップ係止装置を提供するものである。
【００１６】
また、本発明は、請求項１３に記載のように、請求項１乃至１２のいずれかに記載のキャップ係止装置において、係合歯を比較的に鋭角な歯山に、係止歯を比較的鈍角な歯山に成形してなるキャップ係止装置を提供するものである。
【００１７】
また、本発明は、請求項１４に記載のように、請求項１３に記載のキャップ係止装置において、係合歯をほぼ６０度乃至ほぼ１１０度の歯山に成形してなるキャップ係止装置を提供するものである。
【００１８】
また、本発明は、請求項１５に記載のように、請求項１３又は１４に記載のキャップ係止装置において、係合歯の歯形の角度を係止歯の歯形の角度の１０度乃至４０度小さくなるように成形してなるキャップ係止装置を提供するものである。
【００１９】
また、本発明は、請求項１６に記載のように、請求項１３、１４又は１５に記載のキャップ係止装置において、係合歯をほぼ９０度の歯山に、係止歯をほぼ１１０度の歯山に成形してなるキャップ係止装置を提供するものである。
【００２０】
また、本発明は、請求項１７に記載のように、請求項１乃至１６のいずれかに記載のキャップ係止装置において、係合歯を比較的に硬質なプラスチックで成形すると共に、係止歯を弾性変形容易な比較的軟質のプラスチックで成形してなるキャップ係止装置を提供するものである。
【００２１】
また、本発明は、請求項１８に記載のように、請求項１乃至１７のいずれかに記載のキャップ係止装置において、係合歯をキャップに設けると共に係止歯を容器に設けてなるキャップ係止装置を提供するものである。
【００２２】
また、本発明は、請求項１９に記載のように、請求項１８に記載のキャップ係止装置において、係合歯をキャップスカート内側部に設けると共に係止歯を容器肩部に設けてなるキャップ係止装置を提供するものである。
【００２３】
また、本発明は、請求項２０に記載のように、請求項１８又は１９に記載のキャップ係止装置において、係合歯をキャップに射出成形加工で一体に設けると共に係止歯を容器にブロー成形加工により一体に設けてなるキャップ係止装置を提供するものである。
【００２４】
また、本発明は、請求項２１に記載のように、請求項２０に記載のキャップ係止装置において、容器が肩部の上方に太首の多条ネジ部を有する回転装着部まで押出可能なブロー成形加工された押出チューブ容器からなるキャップ係止装置を提供するものである。
【００２５】
また、本発明は、請求項２２に記載のように、請求項２１に記載のキャップ係止装置において、押出チューブ容器が太首の多条ネジ部の上方に細首の開口部を具備すると共に、キャップが細首の開口部に嵌着する細首内キャップ部と多条ネジ部に螺合するネジスカート部とを具備するキャップ係止装置を提供するものである。
【００２６】
また、本発明は、請求項２３に記載のように、請求項２２に記載のキャップ係止装置において、押出チューブ容器が細首の開口部と太首の多条ネジ部との間にキャップ装着時にキャップ天板部が開口部に圧着するように弾力性を持たせた蛇腹状部を設けてなるキャップ係止装置を提供するものである。
【００２７】
また、本発明は、請求項２４に記載のように、請求項２３に記載のキャップ係止装置において、細首内キャップ部に蛇腹状部に弾性的に嵌着する弾性嵌着スカート部を設けてなるキャップ係止装置を提供するものである。
【００２８】
また、本発明は、請求項２５に記載のように、請求項２４に記載のキャップ係止装置において、弾性嵌着スカート部に切欠部を設けて蛇腹状部に弾性的に嵌着するように構成してなるキャップ係止装置を提供するものである。
【発明の効果】
【００２９】
本発明に係るキャップ係止装置によれば、請求項１又は５に記載のように、キャップの容器への回転装着時にキャップと容器とのいずれか一方に設けた係合歯に他方に設けた係止歯が弾性的に係合するようになしたキャップ係止装置において、３個一組の係止歯が、中央の係止歯に対してその両側に位置する係止歯が、係合歯のゼロ倍を含む整数倍のピッチ間隔と、３分の１又は３分の２のピッチ間隔になるように設定してなる構成を有することにより、係止歯の３個中の１個が係合歯の隣り合う山と山の中間の谷の中央に係合している場合、他の２個の係止歯は、その両側において１個は中央係合歯に近づくように、他の１個は中央係合歯から遠ざかるように、均衡した押圧力で山の中腹の傾斜面に弾力的に当接するから、中央係合歯を含めて３個一組の係止歯は係合歯に固定的に係止し、キャップを停止状態に維持することとなる。
【００３０】
一方、この状態から、例えば、係止歯側を一方に強制的に回転すると、ほぼ３分の１ピッチ回転したところで、係止歯の３個中の１個が係合歯の隣り合う山と山の中間の谷の中央に係合し、他の２個の係止歯は、その両側又は２個続いて、１個は山に近づいて新たな中央係合歯に近づくように、他の１個は山を越えたところで中央係合歯から遠ざかるように、均衡した押圧力で山の中腹の傾斜面に弾力的に当接するから、先と同様に、中央係合歯を含めて３個一組の係止歯は係合歯に固定的に係止し、キャップを係合歯の３分の１ピッチ間隔で停止状態にすることができる効果がある。
【００３１】
このことから、３個一組の係止歯を係合歯のほぼ３分の１ピッチの微少間隔で係止することができるから、キャップを係合歯のピッチ間隔の３分の１の微少間隔で係止することができる効果があると共に、キャップ係止間隔に比して３倍の大きさのピッチ間隔の係合歯を設けることができ、強固で確実な係止関係を獲得することができる効果があり、更に、係止位置の直前において係合歯の山を係止歯が越えてから係止するから、そのときに係止完了を感知できるクリック感を生じる効果がある。
【００３２】
また、本発明は、請求項２又は６に記載のように、請求項１又は５に記載のキャップ係止装置において、３個一組の係止歯が少なくとも互いに係合歯の整数倍のピッチ間隔と３分の１又は３分の２のピッチ間隔を隔てて設けてなる構成を有することにより、隣り合う係止歯の間隔を少なくとも係合歯の１ピッチ間隔以上の間隔で余裕を持って大きく設けることができる効果がある。
【００３３】
また、本発明は、請求項３に記載のように、請求項１又は２に記載のキャップ係止装置において、係止歯の３個一組の複数セットを少なくとも係合歯の４ピッチ間隔を隔てて設定してなる構成を有することにより、係止歯の３個中の１個目が係合歯の隣り合う山と山の中間の谷の中央に係合している場合、次の２個目の係止歯を１ピッチ＋３分の１ピッチ、次の３個目の係止歯を１ピッチ＋３分の１ピッチ間隔をあけると、１個目から３個目までは２ピッチと３分の２ピッチになるから、他の２セット目の係止歯の３個中の１個目が１ピッチと３分の１ピッチ間隔の係合歯の隣り合う山と山の中間の谷の中央に係合させるとすれば、最初の１セット目の係止歯と２セット目の係止歯の間隔は４ピッチになり、従って、係止歯の３個一組の複数セットを少なくとも係合歯の４ピッチ間隔を隔てて設定して本発明に係る係止歯を設けることができる効果がある。
【００３４】
また、本発明は、請求項４に記載のように、請求項１、２又は３に記載のキャップ係止装置において、係合歯を４の倍数の歯数に設定してなる構成を有することにより、３個一組の係止歯の必要とする係合歯の４ピッチ間隔は係合歯の４歯分であるから、係合歯の総数は４の倍数にすれば、複数セットの係止歯を設けることができる効果がある。
【００３５】
また、本発明は、請求項７に記載のように、請求項５又は６に記載のキャップ係止装置において、係止歯の３個一組の複数セットを少なくとも係合歯の５ピッチ間隔を隔てて設定してなる構成を有することにより、係止歯の３個中の１個目が係合歯の隣り合う山と山の中間の谷の中央に係合している場合、次の２個目の係止歯を１ピッチ＋３分の２ピッチ、次の３個目の係止歯を１ピッチ＋３分の２ピッチ間隔をあけると、１個目から３個目までは３ピッチと３分の１ピッチになるから、他の２セット目の係止歯の３個中の１個目が１ピッチと３分の２ピッチ間隔の係合歯の隣り合う山と山の中間の谷の中央に係合させるとすれば、最初の１セット目の係止歯と２セット目の係止歯の間隔は５ピッチになり、従って、係止歯の３個一組の複数セットを少なくとも係合歯の５ピッチ間隔を隔てて設定して本発明に係る係止歯を設けることができる効果がある。
【００３６】
また、本発明は、請求項８に記載のように、請求項５、６又は７に記載のキャップ係止装置において、係合歯を５の倍数の歯数に設定してなる構成を有することにより、３個一組の１ピッチと３分の２ピッチ間隔の係止歯の必要とする係合歯の５ピッチ間隔は係合歯の５歯分であるから、係合歯の総数は５の倍数にすれば、３個一組の１ピッチと３分の２ピッチ間隔の複数セットの係止歯を設けることができる効果がある。
【００３７】
また、本発明は、請求項９に記載のように、請求項１乃至８のいずれかに記載のキャップ係止装置において、係止歯をほぼ等間隔に設定してなる構成を有することにより、キャップを等間隔に設けた係止歯で係止個所を限定して係止することができる効果がある。
【００３８】
また、本発明は、請求項１０に記載のように、請求項１乃至８のいずれかに記載のキャップ係止装置において、係止歯を全周に渡ってほぼ等間隔に設定してなる構成を有することにより、キャップを全周に渡って等間隔な係止歯で均等に係止することができる効果がある。
【００３９】
また、本発明は、請求項１１に記載のように、請求項１乃至９のいずれかに記載のキャップ係止装置において、係合歯を回転装着終端部で係止歯に相対する部分に限定して設けてなる構成を有することにより、キャップの容器への回転装着終端部が一定な場合、その終端部付近にのみ限定して係合歯と係止歯を設けることによって、係合歯と係止歯の設定位置を特定場所に限定することができる効果がある。
【００４０】
また、本発明は、請求項１２に記載のように、請求項１乃至１１のいずれかに記載のキャップ係止装置において、係合歯を全周に渡って設けてなる構成を有することにより、キャップの回転終端部を自由に設定することができると共に、係止歯の設置位置にも自由度を持たせることができる。
【００４１】
また、本発明は、請求項１３に記載のように、請求項１乃至１２のいずれかに記載のキャップ係止装置において、係合歯を比較的に鋭角な歯山に、係止歯を比較的鈍角な歯山に成形してなる構成を有することにより、係合歯を歯数の多い連続した鋭角的な形態に設けることができると共に、係止歯を少数歯数で広い間隔で鈍角的に設けて、係止することができる効果がある。
【００４２】
また、本発明は、請求項１４に記載のように、請求項１３に記載のキャップ係止装置において、係合歯をほぼ６０度乃至ほぼ１１０度の歯山に成形してなる構成を有することにより、比較的に鋭角な係合歯の谷間に鈍角的な係止歯の歯山が嵌合することができる効果がある。
【００４３】
また、本発明は、請求項１５に記載のように、請求項１３又は１４に記載のキャップ係止装置において、係合歯の歯形の角度を、係止歯の歯形の角度のほぼ１０度乃至ほぼ４０度小さくなるように成形してなる構成を有することにより、鋭角的な係合歯の谷間に鈍角的な係止歯の歯山が嵌合することができる効果がある。
【００４４】
また、本発明は、請求項１６に記載のように、請求項１３、１４又は１５に記載のキャップ係止装置において、係合歯をほぼ９０度の歯山に、係止歯をほぼ１１０度の歯山に成形してなる構成を有することにより、鋭角的な係合歯の谷間に鈍角的な係止歯の歯山が嵌合することができる効果がある。
【００４５】
また、本発明は、請求項１７に記載のように、請求項１乃至１６のいずれかに記載のキャップ係止装置において、係合歯を比較的に硬質なプラスチックで成形すると共に、係止歯を弾性変形容易な比較的軟質のプラスチックで成形してなる構成を有することにより、歯と歯の間隔が狭い係合歯を比較的に硬質なプラスチックで精密に強固に成形することができると共に、比較的広い間隔で大きく作ることができる係止歯を弾性変形容易な比較的軟質のプラスチックで成形することができる効果がある。
【００４６】
また、本発明は、請求項１８に記載のように、請求項１乃至１７のいずれかに記載のキャップ係止装置において、係合歯をキャップに設けると共に係止歯を容器に設けてなる構成を有することにより、数の多い係合歯を個別加工が容易で硬質にすることが好ましいキャップに強固に設けることができると共に、数の少なくて済む係止歯を加工が難しい容器に設けることができる効果がある。
【００４７】
また、本発明は、請求項１９に記載のように、請求項１８に記載のキャップ係止装置において、係合歯をキャップスカート内側部に設けると共に係止歯を容器肩部に設けてなる構成を有することにより、キャップスカート内側に設けた係合歯と容器肩部に設けた係止歯により、キャップ係止することができる効果がある。
【００４８】
また、本発明は、請求項２０に記載のように、請求項１８又は１９に記載のキャップ係止装置において、係合歯をキャップに射出成形加工で一体に設けると共に係止歯を容器にブロー成形加工により一体に設けてなる構成を有することにより、係合歯をキャップに射出成形加工で歯数の小さくて多い係合歯を精密に設けることができると共に、容器にブロー成形加工により歯数の少ない係止歯を広い間隔で弾性変形可能に設けることができる効果がある。
【００４９】
また、本発明は、請求項２１に記載のように、請求項２０に記載のキャップ係止装置において、容器が肩部の上方に太首の多条ネジ部を有する回転装着部まで押出可能なブロー成形加工された押出チューブ容器からなる構成を有することにより、首太の多条ネジ部で強固な回転装着部を構成することができると共に、首部まで押出可能なブロー成形加工されたプラスチック製の押出チューブ容器を提供することができる効果がある。
【００５０】
また、本発明は、請求項２２に記載のように、請求項２１に記載のキャップ係止装置において、押出チューブ容器が太首の多条ネジ部の上方に細首の開口部を具備すると共に、キャップが細首の開口部に嵌着する細首内キャップ部と多条ネジ部に螺合するネジスカート部とを具備する構成を有することにより、容器の太首の多条ネジ部とキャップネジスカート部により強固なキャップ装着効果が得られると共に、容器の細首の開口部を細首内キャップ部により、確実に覆うことができる効果がある。
【００５１】
また、本発明は、請求項２３に記載のように、請求項２２に記載のキャップ係止装置において、押出チューブ容器が細首の開口部と太首の多条ネジ部との間にキャップ装着時にキャップ天板部が開口部に圧着するように弾力性を持たせた蛇腹状部を設けてなる構成を有することにより、蛇腹状部の弾性力によりキャップ天板部で容器開口部を圧着して閉鎖することができる効果がある。
【００５２】
また、本発明は、請求項２４に記載のように、請求項２３に記載のキャップ係止装置において、細首内キャップ部に蛇腹状部に弾性的に嵌着する弾性嵌着スカート部を設けてなる構成を有することにより、蛇腹状部に弾性嵌着スカート部が強固に嵌着する効果があると共に、嵌着時にキャップ係止完了を感知させるクリック感を生じさせる効果がある。
【００５３】
また、本発明は、請求項２５に記載のように、請求項２４に記載のキャップ係止装置において、弾性嵌着スカート部に切欠部を設けて蛇腹状部に弾性的に嵌着する構成を有することにより、キャップの嵌着をより確実にする効果がある。
【発明を実施するための最良の形態】
【００５４】
以下図示する実施例により本発明を説明する。
【実施例１】
【００５５】
図１１の実施例の本発明に係るキャップ係止装置は、キャップの容器への回転装着時にキャップと容器とのいずれか一方に設けた円周状の係合歯１に他方に設けた係止歯２が弾性的に係合するようになしたキャップ係止装置において、３個一組の係止歯Ａ、Ｂ、Ｃが、互いに中央の係止歯Ａに対してその両側に位置する係止歯Ｂ、Ｃが係合歯の１ピッチＰに対してほぼ３分の１ピッチＰ間隔の係止間隔になるように設定してなる構成を有することにより、係止歯の３個中の１個Ａが係合歯１の隣り合う山と山の中間の谷の中央Ｔ１に係合している場合、他の２個の係止歯Ｂ，Ｃは、両側において係合歯１が互いに中央係合歯Ａから遠ざかるように、均衡して山の中腹の傾斜面Ｔ２，Ｔ３に弾力的に当接するから、中央係合歯を含めて３個一組の係止歯Ａ，Ｂ，Ｃは係合歯１に固定的に係止し、キャップを停止状態に維持することとなる。
【００５６】
この状態から、例えば、係止歯２側を右側に向かって強制的に回転すると、ほぼ３分の１ピッチ回転したところで、係止歯２の３個中の１個Ｂが係合歯１の隣り合う山と山の中間の谷の中央に係合し、他の２個中の係止歯Ａはその右隣として係合歯１を係止歯Ｂから遠ざかるように係合し、更に右隣の係止歯Ｃは係止歯Ａの作用を打ち消すように係合歯１を近づけるように係合して当接力が均衡することとなる。
また、図示の状態から係止歯２側を左側に向かって強制的に回転すると、ほぼ３分の１ピッチ回転したところで、係止歯の３個中の１個Ｃ１が係合歯１の隣り合う山と山の中間の谷の中央に係合し、他の２個の係止歯Ａ１、Ｂ１は互いに係合歯１に加わる回転力を相殺して作用するから係合歯と係止歯は固定状態に維持されることとなる。
【実施例２】
【００５７】
また、図１２において、３個一組の係止歯Ａ、Ｂ、Ｃが、互いに中央の係止歯Ａに対してその両側に位置する係止歯Ｂ、Ｃが係合歯の１ピッチＰに対してほぼ３分の２ピッチＰ間隔の係止間隔になるように設定してなる構成を有することにより、係止歯２の３個中の１個Ａが係合歯１の隣り合う山と山の中間の谷の中央Ｔ１に係合している場合、他の２個の係止歯Ｂ，Ｃは、両側において係合歯１が互いに中央係合歯Ａに近づくように、均衡して山の中腹の傾斜面Ｔ２，Ｔ３に弾力的に当接するから、中央係合歯を含めて３個一組の係止歯Ａ，Ｂ，Ｃは係合歯１に固定的に係止し、キャップを停止状態に維持することとなる。
【００５８】
この状態から、例えば、係止歯２側を右側に向かって強制的に回転すると、ほぼ３分の１ピッチ回転したところで、係止歯の３個中の１個Ｃが係合歯１の隣り合う山と山の中間の谷の中央に係合し、他の２個中の係止歯Ａはその左隣として係合歯１を係止歯Ｃに近づくように係合し、更に左隣の係止歯Ｂは一山越えたところで係止歯Ａの作用を打ち消すように係止歯Ｃから遠ざかるように係合歯１に係合することとなる。
また、係止歯２側を左側に向かって強制的に回転すると、ほぼ３分の１ピッチ回転したところで、係止歯の３個中の１個Ｂが係合歯１の隣り合う山と山の中間の谷の中央に係合し、他の２個の係止歯Ａ、Ｃは互いに係合歯１に加わる回転力を相殺して作用するから係合歯と係止歯は固定状態に維持されることとなる。
【００５９】
このように、実施例１及び実施例２に記載の本発明に係るキャップ係止装置は、キャップの容器への回転装着時にキャップと容器とのいずれか一方に設けた円周状の係合歯１に他方に設けた係止歯２が弾性的に係合するようになしたキャップ係止装置において、３個一組の係止歯Ａ、Ｂ、Ｃが、互いに中央の係止歯Ａに対してその両側に位置する係止歯Ｂ、Ｃが係合歯の１ピッチＰに対してほぼ３分の１又は３分の２ピッチＰ間隔の係止間隔になるように設定してなる構成を有することにより、３個一組の係止歯を係合歯のほぼ３分の１ピッチの微少間隔で係止することができるから、キャップを係合歯のピッチ間隔の３分の１の微少間隔で係止することができる効果があると共に、キャップ係止間隔に比して３倍の大きさのピッチ間隔の係合歯を設けることができ、強固な係止関係を獲得することができる。
また、更に、係止位置の直前において係合歯２の山を３個中の１個の係止歯１が越えてから係合するから、その越えるときに係止完了を感知できるクリック感を生じる効果がある。
【実施例３】
【００６０】
次に、図１１の実施例において、３個一組の係止歯Ａ、Ｂ、Ｃにおいて中央Ｔ１の係止歯Ａに対して、いずれか一方又は両側の係止歯Ｂ、Ｃが係合歯２の１ピッチ以上のピッチ間隔Ｐの整数倍とほぼ３分の１ピッチ間隔の係止間隔になるように設定したとしても、図１１の実施例と同様の原理で同様の係止関係を得ることができる。  図１３に記載の実施例の場合、本発明に係るキャップ係止装置は、キャップの容器への回転装着時にキャップと容器とのいずれか一方に設けた円周状の係合歯１に他方に設けた係止歯２が弾性的に係合するようになしたキャップ係止装置において、３個一組の係止歯Ａ１、Ｂ１、Ｃ１が互いに中央の係止歯Ａ１に対してその両側に位置する係止歯Ｂ１、Ｃ１が係合歯の１ピッチ間隔Ｐとほぼ３分の１ピッチ間隔の係止間隔になるように設定してある。
【００６１】
この場合、図１１に記載の実施例の場合と同様に、係止歯の３個中の１個Ａ１が係合歯１の隣り合う山と山の中間の谷の中央Ｔ１に係合している場合、他の２個の係止歯Ｂ１，Ｃ１は、両側において係合歯１が互いに中央係合歯Ａ１から遠ざかるように、均衡して山の中腹の傾斜面Ｔ２，Ｔ３に弾力的に当接するから、中央係合歯を含めて３個一組の係止歯Ａ１，Ｂ１，Ｃ１は係合歯１に固定的に係止し、キャップを停止状態に維持することとなる。
【００６２】
また、この状態から、例えば、係止歯２側を右側に向かって強制的に回転すると、ほぼ３分の１ピッチ回転したところで、係止歯の３個中の１個Ｂ１が係合歯の隣り合う山と山の中間の谷の中央に係合し、他の２個中の係止歯Ａ１はその右隣として係合歯１を係止歯Ｂ１から遠ざかるように係合し、更に右隣の係止歯Ｃ１は係止歯Ａ１の作用を打ち消すように係合歯１に係合することとなる。
逆に、係止歯２側を左側に向かって強制的に回転すると、ほぼ３分の１ピッチ回転したところで、係止歯の３個中の１個Ｃ１が係合歯１の隣り合う山と山の中間の谷の中央に係合し、他の２個の係止歯Ａ１、Ｂ１は互いに係合歯１に加わる回転力を相殺して作用するから係合歯と係止歯は固定状態に維持されることとなる。
【実施例４】
【００６３】
次に、図１２の実施例において、３個一組の係止歯Ａ、Ｂ、Ｃにおいて中央Ｔ１の係止歯Ａに対して、いずれか一方又は両側の係止歯Ｂ、Ｃが係合歯２の１ピッチ以上のピッチ間隔Ｐの整数倍とほぼ３分の２ピッチ間隔の係止間隔になるように設定したとしても、図１２の実施例と同様の原理で同様の係止関係を得ることができる。
図１４に記載の実施例の場合、本発明に係るキャップ係止装置は、キャップの容器への回転装着時にキャップと容器とのいずれか一方に設けた円周状の係合歯１に他方に設けた係止歯２が弾性的に係合するようになしたキャップ係止装置において、３個一組の係止歯Ａ１、Ｂ１、Ｃ１が互いに中央の係止歯Ａ１に対してその両側に位置する係止歯Ｂ１、Ｃ１が係合歯の１ピッチ以上のピッチ間隔Ｐとほぼ３分の２ピッチ間隔の係止間隔になるように設定してなる構成を有する。
【００６４】
この場合、図１２に記載の実施例の場合と同様に、係止歯の３個中の１個Ａ１が係合歯１の隣り合う山と山の中間の谷の中央Ｔ１に係合している場合、他の２個の係止歯Ｂ１，Ｃ１は、両側において係合歯１が互いに中央係合歯Ａ１に近づくように、均衡して山の中腹の傾斜面Ｔ２，Ｔ３に弾力的に当接するから、中央係合歯を含めて３個一組の係止歯Ａ１，Ｂ１，Ｃ１は係合歯１に固定的に係止し、キャップを停止状態に維持することとなる。
【００６５】
また、この図示の状態から、例えば、係止歯２側を左側に向かって強制的に回転すると、ほぼ３分の１ピッチ回転したところで、係止歯の３個中の１個Ｂ１が係合歯の隣り合う山と山の中間の谷の中央に係合し、他の２個中の係止歯Ａ１はその右隣として係合歯１を係止歯Ｂ１に近づくように係合し、係止歯Ｃ１は一山越えたところで係止歯Ａ１の作用を打ち消すように係合歯１を遠ざける方向に係合することとなり、逆に、この図示の状態から、係止歯２側を右側に向かって強制的に回転すると、ほぼ３分の１ピッチ回転したところで、係止歯の３個中の１個Ｃ１が係合歯１の隣り合う山と山の中間の谷の中央に係合し、他の２個の係止歯Ａ１、Ｂ１は互いに係合歯１に加わる回転力を相殺して作用するから係合歯１と係止歯２は固定状態に維持されることとなる。
【００６６】
このことから、図１１又は図１２の実施例において、３個一組の係止歯Ａ、Ｂ、Ｃにおいて中央Ｔ１の係止歯Ａに対して、いずれか一方又は両側の係止歯Ｂ、Ｃが係合歯２の１ピッチ以上のピッチ間隔Ｐの整数倍とほぼ３分の１又は３分の２のピッチ間隔の係止間隔になるように設定したとしても、図１１又は図１２の実施例と同様の原理で同様の係止関係を得ることができる。
のみならず、３個一組の係止歯Ａ１，Ｂ１，Ｃ１が少なくとも互いに係合歯の１ピッチ間隔Ｐ以上を隔ててほぼ３分の１又は３分の２ピッチ間隔の係止間隔に設定し得るから、隣り合う係止歯Ａ１，Ｂ１，Ｃ１の間隔を少なくとも係合歯１の１ピッチ間隔Ｐ以上の間隔で余裕を持って大きく設けることができる効果がある。
【００６７】
また、本発明は、上記キャップ係止装置において、図１３に記載の実施例の場合、３個一組の係止歯２のセットＡ１，Ｂ１，Ｃ１に対して、他の３個一組の係止歯２のセットＡ２，Ｂ２，Ｃ２を隣接して設ける場合、係合歯のＡ１とＡ２との間隔が、係止歯の３個中の１個目Ａ１が係合歯の隣り合う山と山の中間の谷の中央Ｔ１に係合している場合、次の２個目Ｃ１の係止歯を１ピッチ＋３分の１ピッチ、次の３個目の係止歯Ｂ２は、１個目Ａ１から２ピッチと３分の２ピッチになるから、他の２セット目の係止歯の３個中の１個Ａ１が１ピッチと３分の１ピッチ間隔の係合歯２の隣り合う山と山の中間の谷の中央Ｔ４に係合するから、最初の１セット目の係止歯Ａ１と２セット目の係止歯Ａ２のＴ１とＴ４の間隔は４ピッチになり、従って、係止歯１の３個一組の複数セットを少なくとも係合歯の４ピッチ間隔を隔てて設定すれば、本発明に係る係止歯を設けることができることとなる。
【００６８】
また、この図１３の実施例の場合は、前述の如く、３個一組の係止歯１で４ピッチ間隔の係合歯１を係止することができるから、係止歯の歯数を３の倍数３Ｓセットとすれば、それに対応する係合歯１の歯数は、１セットで係合歯の４歯分であるから４のＳ倍の歯数４Ｓ以上であれば良いこととなる。
従って、図１３の実施例の場合、係合歯の総数を４の整数倍４Ｓにすれば、その倍数Ｓの複数セットの歯数３Ｓの係止歯を最大で設けることができる。
【００６９】
また、本発明は、上記キャップ係止装置において、図１４に記載の実施例の場合、３個一組の係止歯２のセットＡ１，Ｂ１，Ｃ１に対して、他の３個一組の係止歯２のセットＡ２，Ｂ２，Ｃ２を隣接して設ける場合、係合歯のＡ１とＡ２との間隔が、係止歯の３個中の１個目Ａ１が係合歯の隣り合う山と山の中間の谷の中央Ｔ１に係合している場合、次の２個目Ｃ１の係止歯を１ピッチ＋３分の２ピッチ、次の３個目の係止歯Ｂ２は、１個目Ａ１から３ピッチと３分の１ピッチになるから、他の２セット目の係止歯の３個中の１個Ａ２が１ピッチと３分の２ピッチ間隔の係合歯２の隣り合う山と山の中間の谷の中央Ｔ４に係合するから、最初の１セット目の係止歯Ａ１と２セット目の係止歯Ａ２のＴ１とＴ４の間隔は５ピッチになり、従って、係止歯１の３個一組の複数セットを少なくとも係合歯の５ピッチ間隔を隔てて設定すれば、図１４の実施例に係る係止歯を設けることができることとなる。
【００７０】
また、この図１４の実施例の場合は、前述の如く、３個一組の係止歯２で５ピッチ間隔の係合歯１を係止することができるから、係止歯の歯数を３の倍数３Ｓセットとすれば、それに対応する係合歯１の歯数は、１セットで係合歯の５歯分であるから５のＳ倍の歯数５Ｓ以上であれば良いこととなる。
従って、図１４の実施例の場合、係合歯の総数を５の整数倍５Ｓにすれば、その倍数Ｓの複数セットの歯数３Ｓの係止歯を最大で設けることができる。
【実施例５】
【００７１】
図１に記載の実施例において、１０はキャップで、そのスカート部１１の内側に歯数４８個の係合歯１が設けてある。従って、係合歯のピッチＰは、Ｐ＝３６０度／４８＝７．５度である。
これに対して、２０はチューブ容器で、容器肩部２１に３個一組の係止歯２が３セット、合計９個の係止歯２が等間隔に設けてある。従って、９個の係止歯１の個々の歯間隔は、４０度である。
【００７２】
図１の３個一組の係止歯Ｃ１、Ａ１、Ｂ１は、３時の方向にある歯Ｃ１が係合歯の隣り合う山と山の中間の谷の中央に係合しており、それから４０度隔てた係合歯Ａ１は７．５度&times;５＋２．５度の位置、即ち、５Ｐ＋（１／３）Ｐの位置にあって、６個目の係合歯の右側を押圧する状態にあり、次の係止歯Ｂ１は、同様にそれから４０度隔てた７．５度&times;５＋２．５度の位置、即ち、５Ｐ＋（１／３）Ｐの位置にあって、最初の係止歯Ｃ１から１０Ｐ＋（２／３）Ｐの７５度＋５度の１１個目の係合歯の左側を押圧する状態にあり、３個一組の係止歯Ｃ１、Ａ１、Ｂ１は、Ｃ１が係合歯に嵌合し、Ｂ１とＣ１とは互いに逆方向に押圧しあって、停止状態を維持している。
同様に、他の２セットの３個一組の係止歯Ｃ２、Ａ２、Ｂ２及びＣ３，Ａ３，Ｂ３は、Ｃ２，Ｃ３がそれぞれ係合歯に嵌合し、Ｂ２，Ｂ３とＣ２，Ｃ３とは互いに逆方向に押圧しあって、停止状態を維持している。
【００７３】
この状態から、図１において、キャップ１０が時針方向に（１／３）Ｐ、即ち、２．５度回転すると、３個一組、３セットの係止歯は、それぞれＡ１，Ａ２，Ａ３が係合歯に嵌合し、他のＢ１，Ｂ２，Ｂ３が送り方向、Ｃ１，Ｃ２，Ｃ３が戻し方向に押圧しあって係合し、停止状態を維持することとなる。
従って、チューブ容器２０の係止歯２に対してキャップ１０の係合歯１のピッチＰは７．５度であるが、キャップ１０は３分の１ピッチ、（１／３）Ｐの２．５度の間隔で、停止させることができる。
【実施例６】
【００７４】
なお、図１に記載の実施例において、キャップ１０のスカート部１１の歯数４８個の係合歯１に対して、チューブ容器２０の係止歯１を、３個一組が中央の係止歯Ａに対して、その両側の係止歯Ｂ，Ｃが、係合歯のピッチＰの整数倍と、３分の２ピッチ間隔に設けてある場合でも、係合歯１のピッチＰ＝３６０度／４８＝７．５度に対して３分の１ピッチの２．５度間隔でキャップ１０を係止することができる。
【実施例７】
【００７５】
また、例えば、キャップ１０のスカート部１１の歯数が５の１２倍の６０個の係合歯１に対して、チューブ容器２０の係止歯１を、３個一組が中央の係止歯Ａに対して、その両側の係止歯Ｂ，Ｃが、係合歯のピッチＰの整数倍と、３分の２ピッチ間隔に設けてある場合では、係合歯１のピッチＰ＝３６０度／６０＝６度に対して３分の１ピッチの２度間隔でキャップ１０を係止することができる。
ここで、例えば、チューブ容器２０の容器肩部２１に３個一組の係止歯２が３セット、合計９個の係止歯２が等間隔に設けてあ場合には、９個の係止歯１の個々の歯間隔は、４０度で、係止歯１の相互の間隔は、６ピッチ＝３６度と３分の２ピッチ＝４度である。
【実施例８】
【００７６】
図２乃至図４はキャップ１０の一実施例を示し、比較的硬質なプラスチックの射出成形加工により一体に製作され、スカート部１１の内側に、４８個の係合歯１を設けてある。１２は係止歯１の直上に設けたほぼ９０度の回転で螺合可能な多条ネジであり、１３は天板部、１４は切欠部１５によりクリック感を伴ってチューブ容器２０の蛇腹状部２４に弾性的に嵌着可能にした首部内キャップ部である。
【実施例９】
【００７７】
また、図５乃至図７はチューブ容器２０の一実施例を示し、比較的軟質なプラスチックのブロー成形加工により製作される押出チューブ容器で、容器肩部２１に９個の係止歯２を等間隔に一体に設けてある。２２は首太の首部に設けた多条ネジ部で、先のキャップ１０の多条ネジ１２と螺合するように設けてある。２３は細首状の開口部で、開口部２３と多条ネジ部２２との間に、キャップ装着時に天板部１３と当接して開口部２３に圧着するように垂直方向に弾性変形可能な蛇腹状部２４を設けてある。先のキャップ１０の首部内キャップ部１４は蛇腹状部２４を含めて開口部２３に嵌着するように設けてある。このチューブ容器２０は内容物が見える透明なプラスチック素材で成形することが好ましく、多条ネジ部２２を設けた太首部まで内容物を収容し、使用時には太首部まで押圧して内容物を絞り出すことができる。
図８は、キャップ１０の係合歯１と容器２０の係止歯２の係合状態を示す要部の概略拡大図である。
【実施例１０】
【００７８】
図９は係合歯１の歯形を示し、山のなす角度は９０度に設定してあるが、ほぼ６０度〜ほぼ１１０度の比較的に鋭角な歯山に成形することが可能である。
図１０は係止歯２の歯形を示し、山のなす角度はほぼ１１０度に設定してあるが、係合歯１の鋭角な歯形の角度と、係止歯２の比較的に鈍角な歯形の角度の差がほぼ１０度〜ほぼ４０度になるように設定することができ、鋭角的な係合歯の谷間に鈍角的な係止歯の歯山が嵌合することができるように構成してある。
なお、容器の係止歯２が弾性変形して硬質のキャップの係合歯１に係合する場合、キャップの係合歯１はプラスチック製に限定されず、ガラス製、陶製、金属製等の硬質な素材製であっても、勿論実施可能である。
【図面の簡単な説明】
【００７９】
【図１】本発明の一実施例の概略説明図。
【図２】本発明の一実施例の要部の正面図。
【図３】その要部の底面図。
【図４】その要部の正面図中央縦断面図。
【図５】本発明の一実施例の他の要部の一部拡大正面図。
【図６】その要部の平面図。
【図７】その要部の全体を示す概略正面説明図。
【図８】本発明の一実施例の要部の一部拡大断面図。
【図９】本発明の一実施例の要部の一部拡大説明図。
【図１０】本発明の一実施例の他の要部の一部拡大説明図。
【図１１】本発明の一実施例の原理説明図。
【図１２】本発明の他の実施例の原理説明図。
【図１３】本発明の他の実施例の原理説明図。
【図１４】本発明の他の実施例の原理説明図。
【符号の説明】
【００８０】
１      係合歯
２      係止歯
１０    キャップ
１１    スカート部
１２    多条ネジ部
１３    天板部
１４    キャップ内
１５    切欠部
２０    押出容器
２１    容器肩部
２２    多条ネジ部
２３    開口部
２４    蛇腹状部
【図１】
0004757122.tif 000002
【図２】
0004757122.tif 000003
【図３】
0004757122.tif 000004
【図４】
0004757122.tif 000005
【図５】
0004757122.tif 000006
【図６】
0004757122.tif 000007
【図７】
0004757122.tif 000008
【図８】
0004757122.tif 000009
【図９】
0004757122.tif 000010
【図１０】
0004757122.tif 000011
【図１１】
0004757122.tif 000012
【図１２】
0004757122.tif 000013
【図１３】
0004757122.tif 000014
【図１４】
0004757122.tif 000015